(57)【要約】ポケットサイズのナイフ研磨装置であって、研磨ロッド（１１、１２）をハウジング（１）内に回転可能に配置している。前記研磨ロッド（１１、１２）は、その他端によりハウジング（１）の前壁（６）及び後壁（４）のアーチ型窪部（１５、１６；１７、１８）の中に誘導される。それらは、バネ（１３，１４）により、互いの方向に押し付けられ、ナイフの開口（７）の中で交差する。ナイフ開口は、前壁（６）又は後壁（４）の中で互いに対して平行に伸びるスリット（８，９）により形成されている。
2007521976.tif 000002
【特許請求の範囲】
【請求項１】
一方の端部でピボット取り付けされ他端部で湾曲ガイド内を誘導され、またバネによって互いの方向に負荷をかけられる２つの研磨ロッドであって、前記研磨ロッドは、ナイフ挿入開口部内で交差して、前記ナイフ挿入開口部に挿入されるナイフによって前記交差する研磨ロッドに圧力が加わると、前記研磨ロッドは前記バネの力に対抗して互いに離れる方向に広げられるようにされたナイフ研磨装置であって、
前記研磨ロッド（１１、１２）はハウジング（１）内に配置されて取り付けられ、
前記ハウジングの前壁（６）及び後壁（４）は、前記ナイフ挿入開口部（７）を形成するために、一方の端部で開口し他端部で閉鎖した互いに平行なスロット（８、９）を備えている、
ことを特徴とするナイフ研磨装置。
【請求項２】
前記ハウジング（１）は５〜１０ｃｍの長さ（ｌ）及び幅（ｂ）そして１〜３ｃｍの厚さ（ｄ）を有する、請求項１記載のナイフ研磨装置。
【請求項３】
前記ハウジング（１）は前記前壁（６）と前記後壁（４）との間で分割される、請求項１又は２記載のナイフ研磨装置。
【請求項４】
前記分割継ぎ目（２２）は前記前壁（６）及び前記後壁（４）に面平行に延びる、請求項３記載のナイフ研磨装置。
【請求項５】
前記研磨ロッド（１１、１２）は前記前壁（６）及び前記後壁（４）の両方に取り付けられる、請求項１〜４のいずれかに記載のナイフ研磨装置。
【請求項６】
前記研磨ロッド（１１、１２）を取り付けるために、ピボットピン（３２、３３）が、前記研磨ロッド（１１、１２）のそれぞれ前部及び後部に又は前記前壁（６）及び前記後壁（４）に配備されて、前記前壁（６）及び前記後壁（４）の又は前記研磨ロッド（１１、１２）の窪部（３４、３５）と回転可能に係合するようにされる、請求項５記載のナイフ研磨装置。
【請求項７】
前記研磨ロッド（１１、１２）を誘導するための湾曲ガイドが前記前壁（６）及び前記後壁（４）の窪部（１５、１６；１７、１８）によって形成され、前記窪部は前記研磨ロッド（１１、１２）の前部及び後部に配備された誘導ピン（３１、４０）によって係合される、請求項１記載のナイフ研磨装置。
【請求項８】
バネ（１３、１４）が、一方の端部で前記後壁（４）に固定され、他端部で前記研磨ロッド（１１、１２）を前記ナイフ挿入開口部（７）から離れている方の側で攻撃するワイヤによって形成される、請求項１〜７のいずれかに記載のナイフ研磨装置。
【請求項９】
各バネ（１３、１４）を固定するために、前記後壁（４）が内部に溝（３６、３７）を備え、前記溝に前記バネ（１３、１４）の一方の端部が配置され、また前記溝は前記前壁（６）の突出部（３８、３９）によってシールされるようにされる、請求項８記載のナイフ研磨装置。
【請求項１０】
前記研磨ロッド（１１、１２）の領域は、前記ハウジング（１）の内部空間の残りの部分から、前記前壁（６）及び／又は前記後壁（４）に配備される分割壁（４１、４１’、４２、４２’）によって分離される、請求項１〜９のいずれかに記載のナイフ研磨装置。
【請求項１１】
前記前壁（６）を前記後壁（４）と結合させるために、前記前壁（６）及び／又は前記後壁（４）はスリーブ状結合部材（４７、４８）を備え、これら結合部材内に前記後壁（４）及び／又は前記前壁（６）上のピン（４９、５０）が挿入されるようにされる、請求項１〜１０のいずれかに記載のナイフ研磨装置。
【請求項１２】
前記ハウジング（１）の前記ナイフ挿入開口部（７）から離れている方の側部にスタンド（２）が連結される、請求項１〜１１のいずれかに記載のナイフ研磨装置。
【請求項１３】
前記スタンド（２）はプレート形状であり、前記前壁（６）にスライドさせてはめるようにされる、請求項１２記載のナイフ研磨装置。
【請求項１４】
前記スタンド（２）は、前記ハウジング（１）に連結するために、前記ハウジング（１）の一方及び他方の狭い側部の長手方向の溝（５５、５６）に係合する２つのピン（５４）を有する、請求項１２又は１３記載のナイフ研磨装置。
【請求項１５】
前記長手方向の溝（５５、５６）は、ハウジング前部材（５）の側壁（２３、２４）に配備される、請求項１４記載のナイフ研磨装置。
【請求項１６】
前記ハウジング（１）を、９０°より小さい前記ハウジング（１）と前記スタンド（２）との間の角度（α）で開いた状態で固定するために、前記ハウジング（１）及び／又は前記スタンド（２）にストップが配置される、請求項１２から１５のいずれかに記載のナイフ研磨装置。
【請求項１７】
前記スタンド（２）は、前記ストップを形成するために、側壁（５２、５３）を有し、前記スタンド（２）の開いた状態において、前記側壁上にハウジング後部材（３）の側壁（３５、３６）が支持される、請求項１６記載のナイフ研磨装置。
【請求項１８】
前記ハウジング前部材（５）の前記側壁（２３、２４）は前記スタンド（２）の前記側壁（５２、５３）の内側を延びる、請求項１７記載のナイフ研磨装置。
【請求項１９】
前記スタンド（２）は前記ピン（５４）から離れている方の側部に端壁（５７）を備え、前記端壁は、前記スタンド（２）が前記ハウジング（１）にスライドしてはまる折り畳み状態において、前記ハウジング（１）の前記ナイフ挿入開口部（７）から離れている方の端壁にわたって係合する、請求項１２から１８のいずれかに記載のナイフ研磨装置。
【請求項２０】
前記前壁は、前記スロット（８）に面する側面に突出部（５８）を有し、前記突出部は、前記ハウジング（１）にスライドさせてはめる折り畳み状態において前記スタンド（２）の隣接エッジ（６１）にわたって係合する、請求項１２から１８のいずれかに記載のナイフ研磨装置。
【発明の詳細な説明】
【技術分野】
【０００１】
本発明は、請求項１の前提部分に係るナイフ研磨装置に関する。
【背景技術】
【０００２】
このような装置はＷＯ０２／３４４７０  Ａ１により既知である。ここでは基部では、ピンにより取り付けられた研磨ロッドを有する垂直のプレートが配備されており、ピンはプレートの窪部を通して挿入されプレートの反対側の逆ネジにより固定される。同様に、研磨ロッドの他端部では、対応する逆ネジにより固定されたピンが、プレートのスロットとして形成された曲線ガイドを通して延びる。
【０００３】
上記既知の装置はきわめて有用であることが分かっているが、ポケットに入れて持ち運ぶには大き過ぎ、また重過ぎる。
【特許文献１】ＷＯ０２／３４４７０  Ａ１
【発明の開示】
【０００４】
従って、本発明の課題は、ポケットサイズのこのようなナイフ研磨装置を提供することである。
【０００５】
これは本発明によって、ハウジング内に研磨ロッドを配置し取り付け、ナイフ挿入開口部を形成するために、ハウジングの前壁及び後壁に、一方の端部で開口し他端部で閉鎖した互いに平行なスロットを配備することによって得られる。
【発明を実施するための最良の形態】
【０００６】
ハウジングは、好ましくは、平坦でほぼ立方形である。すなわち前後壁が面平行に延びている。好ましくは、ほぼ手のひらサイズで、本発明の装置をポケットに入れて無理なく持ち運びできるようにされる。すなわち、ハウジングは、好ましくは、５〜１０ｃｍの長さ及び幅そして１〜３ｃｍの厚さを有し、好ましくは、プラスチック又は類似の軽量材料よりなる。
【０００７】
研磨ロッド及びバネをハウジング内に取り付けることができるようにするために、ハウジングは、好ましくは、前後壁間で分割される。分割継ぎ目は前壁及び後壁に面平行に延長し得る。尤もハウジングは別の方法で、例えばボックス形状で形成することもできる。
【０００８】
研磨ロッドは好ましくはハウジングの前後壁の両方に取り付けられる。好ましくは、研磨ロッドはそれらの前側及び後側に、前壁又は後壁の窪部に係合するピボットピンを備えている。代わりに、ピボットピンを前壁及び後壁に設けてもよく、この場合はピボットピンによって係合される窪部は研磨ロッドの前側及び後側に設けられる。
【０００９】
研磨ロッドを確実に誘導するために、湾曲ガイドが好ましくは前後壁の両方に配備される窪部によって形成される。前後壁の互いに平行な湾曲窪部は、研磨ロッドの前側及び後側の両方に配備された誘導ピンによって係合される。研磨ロッドに互いの方向に負荷をかけるバネであってこの力に対抗して研磨ロッドがナイフの圧力によって互いに離れる方向に広げられるバネが、好ましくは、一方の端部で好ましくは後壁に固定され、他端部で、前記ナイフ挿入開口部から離れている方の側で、研磨ロッドの湾曲ガイドに面する側部を攻撃する鋼鉄ワイヤによって形成される。
【００１０】
バネワイヤを固定するために、ハウジングの後壁は、好ましくは、その上に形成された溝を備え、これら溝にバネワイヤの一方の端部が配置され、また溝は、ハウジング前部材及びハウジング後部材が結合されるとき前壁の突出部によってシールされる。
【００１１】
研削チップは前壁及び後壁のスロットを介して研磨ロッドの領域から除去することができるが、研削チップが研磨ロッドの領域以外のハウジングの内部空間に入るのを防ぐために、前記研磨ロッドの領域は、好ましくは、前壁又は後壁にもしくは一部は前壁及び一部は後壁に配備される分割壁によって、ハウジングの内部空間の残りの部分から分離される。分割壁は、特にハウジングがプラスチック製である場合、前壁を有するハウジングの前部材又は後壁を有するハウジングの後部材と一体に形成することができる。
【００１２】
ハウジングの前部材をハウジングの後部材と結合させるために、前壁又は後壁にスリーブ状結合部材を配備することができ、これら結合部材内に対応する反対側の壁に固定されるピンが挿入可能である。特にプラスチック製ハウジングの場合、これらスリーブ状結合部材及びロックピンもまた前壁又は後壁と一体に形成することができる。
【００１３】
ナイフ研削装置を支持体上に立てることができるようにするために、スタンドを下面に、すなわちハウジングのナイフ挿入部から離れている方の側部に連結することができる。スタンドは装置がナイフ研磨状態にあるときは開かれており、装置が携行状態にあるときは折り畳まれている。スタンドは、好ましくは、プレート形状であり、前壁にスライドさせてはめるようにされる。このために、スタンドは、ハウジングの互いに平行な狭い側部であって、これらの間に挿入開口部のスロットが位置する側部の一方及び他方の長手方向の溝に係合する２つのピンを備え得る。従って、スタンドのピンは、一方では、携行状態へと移行しているときスタンドを誘導し、また携行状態から開いたナイフ研磨状態へとスライドして出たスタンドを旋回させるように働く。
【００１４】
ハウジングを、ハウジングとスタンドとの間の角度が、好ましくは、約６０°〜８０°の開いた状態で固定するために、ハウジング及び／又はスタンドにストップが配備される。ストップは、好ましくは、ハウジングの後部材の側壁を、スタンドの開いた状態すなわちナイフ研磨状態で支持するスタンドの側壁によって形成される。
【００１５】
ハウジングの前部材の側壁は、スタンドの側壁の内側を延びるように、ハウジングの後部材の側壁に対して内向きにずれている。
【００１６】
平坦な立方形のハウジングのエッジは、好ましくは、携行快適性を高めるように丸みを持った形状とされる。このために、スタンドもまた好ましくはピンから離れている方の側部に湾曲端壁を備えており、ハウジングにスライドさせてはめる折り畳み状態では、ハウジングのナイフ挿入開口部から離れている方の端壁にわたって面一で係合する。同様に、ハウジングの前壁は、好ましくは、ナイフ挿入開口部に面する側部に突出部を備えており、ハウジングにスライドさせてはめる折り畳み状態では、プレート形状スタンドにそのピンを持つエッジにおいて面一に係合する。さらに、ハウジングのナイフ挿入開口部が配備されている端壁は好ましくは湾曲形状である。従って、携行状態では、本発明のナイフ研磨装置は、ナイフ挿入開口部以外は滑らかな外面及び湾曲の端壁を有し、従って携行快適性を損ない得るエッジを持たない。
【実施例】
【００１７】
以下に本発明のナイフ研磨装置の実施形態を添付の図面を参照してより詳しく説明する。
【００１８】
ナイフ研磨装置は、図３に示すように、スタンド２を備えたハウジング１を有する。
【００１９】
ハウジング１は、後壁４を有する後部材３と前壁６を有する前部材５とからなる。ハウジング１は、後壁４及び前壁６のそれぞれの平行に延びるスロット８、９によって形成されるナイフ挿入開口部７を備えている。スロット８、９は開口上端を持ち、下端で閉鎖している。
【００２０】
ハウジング１では、研磨ロッド１１、１２がスロット８、９の閉鎖端に面する側でピボット取り付けされている。ロッドはスロット８、９によって形成されるナイフ挿入開口部７内で交差しており、バネ１３、１４により互いの方向に負荷をかけられる。スロット８、９の開口端に面する研磨ロッド１１、１２の他端部は、前壁６及び後壁４の湾曲窪部１５、１６、１７、１８内で誘導される。
【００２１】
研磨ロッド１１、１２はそれぞれ、これらが交差する研削領域内の対向する側部に、セラミック又は類似の硬い材料、例えばシリコンカーバイド、タングステンカーバイド又は他の硬い金属よりなるプレート２０、２１を備えている。
【００２２】
上方からナイフ挿入開口部７へと挿入される被研磨ナイフ刃（図示せず）は、交差する研磨ロッド１１、１２に対して上方から研磨のために付勢され、研磨ロッドはこれによってバネ１３、１４の力に対抗して互いに離れる方向に付勢される。これによって、刃はナイフ挿入開口部７を通って引かれる。
【００２３】
ナイフ研磨装置はポケットサイズである。従ってほぼ図２〜図５に示す大きさである。すなわちハウジング１はほぼ手のひらサイズで、長さｌが例えば約７ｃｍ、幅ｂが例えば約６ｃｍ、厚さｄが例えば約２ｃｍの平坦な立方形として形成される。ハウジング１は中央で分割される。すなわち、分割継ぎ目２２が前壁６と後壁４との間の中央の、前壁６及び後壁４に面平行の面内を延び、これにより前壁６及び後壁４に、ほぼ等しい高さの縦方向の側壁２３、２４及び３５、３６ならびに端壁２７、２８及び２９、３０が形成される。
【００２４】
研磨ロッド１１、１２は前壁６及び後壁４の両方に取り付けられる。このため、各研磨ロッド１１、１２のそれぞれの前及び後にピンが配備される。尤も、図面すなわち図１は前ピン３２、３３のみを示している。円柱状のピボットピン３２、３３はそれぞれ前壁６及び後壁４の窪部に係合する。尤も、図面すなわち図２は前壁６の円柱状窪部３４、３５のみ示している。それぞれの回転軸から離れている方の端部では、研磨ロッド１１、１２は前及び後に、湾曲ガイド１５、１６；１７、１８に係合するピン３１、４０を備えている。
【００２５】
研磨ロッド１１、１２に負荷をかけるバネ１３、１４はそれぞれ、ナイフ挿入開口部７の一方の側及び他方の側のワイヤによって形成され、各バネワイヤ１３、１４は一方の端部で後壁４に固定され、他端部で研磨ロッド１１、１２のナイフ挿入開口部７から離れている方の側部を攻撃する。各バネワイヤ１３、１４を固定するには、図１に示すように後壁４に溝３６、３７が配備されて、バネワイヤ１３、１４の一方の曲がった端部を受容する。溝３６、３７は前壁６の突出部３８、３９によってシールされる。
【００２６】
研磨ロッド１１、１２の領域は、前壁６上の壁部４１、４１’及び後壁４上の壁部４２、４２’によって形成される分割壁によってハウジング１の内部空間の残りの部分から分離される。壁部４１、４１’、４２、４２’は、前壁６及び後壁４の長手方向の側壁２３、２４；２５、２６ならびに端壁２７、２８；２９、３０と同じ高さを持つ。後壁４上の壁部４２、４２’は、バネ１３、１４及び湾曲窪部１７、１８の領域に、窪部４３、４４を備え、これら窪部は前壁６上の壁部４１の突出部４５、４６と係合する。
【００２７】
前壁６を後壁４と結合させるためには、後壁４にスリーブ状結合部材４７、４８を配備し、これらに前壁６のピン４９、５０が挿入される。
【００２８】
プレート状スタンド２はハウジング１に連結され、ハウジング１の前壁６にスライドさせてはめるようにされる。このためにスタンド２は、長手方向の側壁５２、５３それぞれの内側にピン５４を持ち、このピンがハウジング１の前部材５の長手方向の側壁２３、２４の長手方向の溝５５、５６に係合する。
【００２９】
ハウジング１を角度α、例えば７０°で開いた状態に固定するためには、ハウジングの後部材の長手方向の側壁３５、３６は、スタンド２の長手方向の側壁５２、５３上で対応する角度で支持される。これに対して、ハウジング１の前部材５の長手方向の側壁２３、２４はスタンド２の長手方向の側壁５２、５３の内側を延びる。
【００３０】
スタンド２はそのピン５４から離れている方の側に端壁５７を備え、端壁は、湾曲しており、すなわち断面がほぼ半円形であり、図４に示すように、スタンド２がハウジング１にスライドしてはまる折り畳み状態では、ハウジング１のナイフ挿入開口部７から離れている方の端壁であり、前部材５及び後部材３の端壁２８及び３０によって形成される端壁と面一に係合する。さらに、突出部５８がハウジング前部材５の前壁６に設けられ、ハウジング１にスライドさせてはめる折り畳み状態では、ピン５４が配備されているエッジ６１でスタンド２と面一で係合し、これにより下面もまた図４に示すように滑らかな形状となる。その上、２つのハウジング部材３、５の端壁２７及び２９から形成されるハウジング１の端壁もまた、スタンド２の端壁５７と同じ方法で形成された湾曲形状である。
【００３１】
ナイフ研磨装置を図３に示す研磨状態から図４及び図５に示す携行状態に移行させるには、ハウジング１を図３の矢印６０の方向に、ハウジング１及びスタンド２が同一平面上に位置するまで前方に折り曲げ、その後ハウジング１をスタンド２にスライドさせてはめる。
【００３２】
ハウジング１をスタンド２に対して角度αで研磨状態に配置することにより、ナイフの刃を研ぐことができるがまた磨くこともできる。研ぐ場合は、より多く除去するために、刃を前方に引き、磨く場合は、すなわち刃先をホーニングする場合は、刃を反対方向に引く。
【図面の簡単な説明】
【００３３】
【図１】ハウジングの前部材を取り除いたナイフ研磨装置の斜視図。
【図２】ハウジングの前部材の内側の平面図。
【図３】ナイフ研磨状態にあるナイフ研磨装置の側面図。
【図４】携行状態にあるナイフ研磨装置の側面図。
【図５】携行状態にあるナイフ研磨装置の平面図。
【符号の説明】
【００３４】
１     ハウジング
２     スタンド
３     ハウジング部材
４     後壁
５     ハウジング前部材
６     前壁
７     ナイフ挿入開口部
８     スロット
１１   研磨ロッド
１３   バネ
１５   湾曲ガイド
１７   湾曲窪部
２０   プレート
２２   継ぎ目
２３   側壁
２７   端壁
２８   端壁
３１   ピン
３２   ピボットピン
３４   円柱状窪部
３５   側壁
３６   溝
３８   突出部
４１   壁部
４２   壁部
４３   窪部
４５   突出部
４７   スリーブ状結合部材
４９   ピン
５２   側壁
５４   ピン
５５   溝
５７   端壁
５８   突出部
６０   矢印
【図１】
2007521976.tif 000003
【図２】
2007521976.tif 000004
【図３】
2007521976.tif 000005
【図４】
2007521976.tif 000006
【図５】
2007521976.tif 000007
【国際調査報告】
2007521976.tif 000008
2007521976.tif 000009
2007521976.tif 000010
2007521976.tif 000011
2007521976.tif 000012
2007521976.tif 000013